(57)【要約】【課題】移動体通信装置において、移動端末装置に対して提供されるサービスの品質を保って、基地局装置のデータを更新可能とする。【解決手段】負荷監視部３６６は、無線基地局装置３の低い負荷状態を、更新制御部３６４に対して通知し、更新制御部３６４は、無線基地局装置３の負荷が低く、無線基地局装置３の更新が可能であると判定する。無線ネットワーク制御装置２が、更新制御部３６４に対して、更新を通知すると、更新制御部３６４は、更新が可能である旨を応答する。この応答に従って、無線ネットワーク制御装置２は、更新用のデータを、更新処理部３６２に対して転送する。更新処理部３６２が全ての更新用のデータを受けると、更新完了が通知され、無線基地局装置３が再起動されると、無線ネットワーク制御装置２から送られてきた更新用データが有効化される。【選択図】図６
2008131230.tif 000002
【特許請求の範囲】
【請求項１】
無線回線を介した無線通信を行う無線基地局装置と、前記無線通信基地局装置を制御する制御装置とが、ネットワークを介して接続された無線通信システムであって、
前記無線基地局装置は、
プログラムを実行して、前記無線通信の制御処理を行う無線通信制御手段と、
前記制御処理の負荷が高いか低いかを判定する負荷判定手段と、
前記制御装置の負荷が低いときに、前記制御装置に対して、データの更新を、前記制御装置に対して許可する更新制御手段と、
前記制御装置から転送されたデータを用いた更新を行う更新手段と
を有し、
前記制御装置は、前記更新が許可されたときに、前記更新のためのデータを、前記無線基地局装置に対して転送する
無線通信システム。
【発明の詳細な説明】
【技術分野】
【０００１】
本発明は、基地局装置のデータを、適宜、更新可能な無線通信システムに関する。
【背景技術】
【０００２】
例えば、特許文献１は、ソフトウエア更新中も録画可能な画像録画装置を開示する。
また、例えば、特許文献２，３は、移動体通信装置のプログラムの更新が可能なシステムを開示する。
しかしながら、これらのいずれの文献も、移動体通信用の基地局装置において、運用中に、プログラムなどのデータを更新可能なシステムを開示していない。
【特許文献１】特開２００６−２４６１７９号公報
【特許文献２】特開２００４−１３４９４８号公報
【特許文献３】特開２００３−３０４３４３号公報
【発明の開示】
【発明が解決しようとする課題】
【０００３】
本発明は、上述した背景からなされたものであって、移動体通信装置において、基地局装置により移動端末装置に対して提供されるサービスの品質を保って、基地局装置のデータを更新可能な改良された無線通信システムを提供することを目的とする。
【課題を解決するための手段】
【０００４】
上記目的を達成するために、本発明にかかる無線通信システムは、無線回線を介した無線通信を行う無線基地局装置と、前記無線通信基地局装置を制御する制御装置とが、ネットワークを介して接続された無線通信システムであって、前記無線基地局装置は、プログラムを実行して、前記無線通信の制御処理を行う無線通信制御手段と、前記制御処理の負荷が高いか低いかを判定する負荷判定手段と、前記制御装置の負荷が低いときに、前記制御装置に対して、データの更新を、前記制御装置に対して許可する更新制御手段と、前記制御装置から転送されたデータを用いた更新を行う更新手段とを有し、前記制御装置は、前記更新が許可されたときに、前記更新のためのデータを、前記無線基地局装置に対して転送する。
【発明の効果】
【０００５】
本発明にかかる無線通信システムによれば、移動体通信装置において、基地局装置により移動端末装置に対して提供されるサービスの品質を保って、基地局装置のデータを更新可能である。
【発明を実施するための最良の形態】
【０００６】
以下、本発明の実施形態を説明する。
【０００７】
［本発明がなされるまでの経緯］
まず、本発明がなされるまでの経緯を説明する。
近年、移動体通信は急速に普及し、そのサービスエリアも拡大し、それに伴って、ユーザは、どこにいても、音声通話およびデータ通信などのサービスを受けられるようになってきている。
移動体通信システムは、移動端末装置との間でデータを伝送する無線基地局装置、複数の無線基地局装置が接続されて無線アクセスネットワークを構成し、これらの無線基地局を制御する無線ネットワーク制御装置、および、複数の無線アクセスネットワークと接続され、交換機などを含むコアネットワークから構成され、各種サービスを実現する。
【０００８】
最近の移動体通信システムにおいては、従来からの音声通信サービスに加えて、非音声通信サービス（データ通信サービス）の利用が増大しており、今後は、さらに高速で多機能なデータ通信サービスが必要とされると予想されている。
ユーザが、このような多様なサービスの提供を、安心して受けるためには、高機能で、しかも、安定した移動体通信ネットワークの構築が必要とされる。
高機能で安定した移動体通信ネットワークの構築のためには、無線ネットワーク制御装置および無線基地局装置などの各種装置に対する新規機能の追加、品質の安定確保が必要とされる。
【０００９】
以上説明したような事情により、現在の無線基地局装置は、新しいバージョンのプログラムおよびその処理に用いられるパラメータ（これらを総称して「データ」とも記す）とが、無線ネットワーク制御装置からダウンロード可能なように構成され、ダウンロードされたデータは、無線基地局装置の再起動時に有効とされ、データの更新が行われる。
このような更新処理は頻繁に行われ、しかも、従来、この更新は、無線基地局装置の主導の下ではなく、上位装置（無線ネットワーク制御装置側）の主導の下に行われてきたので、無線基地局装置の負荷の状態とは関係なしに行われてきた。
【００１０】
無線基地局装置においては、ユーザに対するサービスを提供するための呼処理が行われており、呼処理に加えて、データの更新が実行されると、無線基地局装置の処理負荷が過大になる可能性があり、無線基地局装置の処理負荷が過大になると、ユーザに対するサービスの提供に支障がでる可能性がある。
このような事情に対応し、本発明は、無線基地局装置の負荷状態に応じて、その更新に必要とされるデータの転送を制御することにより、無線基地局装置のデータの更新が、ユーザに対するサービスの提供に影響を及ぼさないように工夫されている。
【００１１】
［移動体通信システム１］
以下、本発明にかかる移動体通信システム１を説明する。
図１は、本発明にかかる移動体通信システム１の構成を例示する図である。
図１に示すように、移動体通信システム１は、ｎ個の無線アクセスネットワーク１０２−１〜１０２−ｎが、交換機および伝送装置などを含むコアネットワーク１００に接続され、さらに、ｎ台の移動端末装置１０４−１〜１０４−ｎが、無線通信回線および無線アクセスネットワーク１０２−１〜１０２−ｎを介してコアネットワーク１００と接続されて構成される。
無線アクセスネットワーク１０２−１〜１０２−ｎはそれぞれ、コアネットワーク１００に接続された無線ネットワーク制御装置２と、ｎ台の無線基地局装置３−１〜３−ｎとから構成される。
なお、ｎは、１以上の整数を示し、全てのｎが同数であるとは限らない。
また、以下、無線アクセスネットワーク１０２−１〜１０２−ｎなど、複数ある構成部分のいずれかを示すときには、単に、無線アクセスネットワーク１０２と記載することがある。
また、以下の各図において、実質的に同じ構成部分・処理には、同じ符号が付される。
【００１２】
移動体通信システム１においては、無線アクセスネットワーク１０２同士間の音声通信およびデータ通信が行われる。
また、移動体通信システム１においては、コアネットワーク１００から、無線基地局装置３に対して、無線ネットワーク制御装置２を介して、無線基地局装置３のプログラムおよびそのパラメータ（データ）の更新の無線基地局装置３の負荷状態に適応した制御が行われる。
つまり、移動体通信システム１において、無線基地局装置３は、その負荷が低いときには、無線ネットワーク制御装置２からデータの転送を受けて、更新を行う。
また、無線基地局装置３は、無線ネットワーク制御装置２からのデータの転送中に、その負荷が高くなったときには、無線ネットワーク制御装置２からのプログラムおよび転送を中断させる。
また、無線基地局装置３は、無線ネットワーク制御装置２からのデータの転送が中断されている間に、その負荷が再び低くなったときには、無線ネットワーク制御装置２からのプログラムおよび転送を再開させる。
【００１３】
［ハードウェア構成］
図２は、図１に示した無線ネットワーク制御装置２のハードウエア構成を例示する図である。
図２に示すように、無線ネットワーク制御装置２は、ＣＰＵ１１２およびメモリ１１４などを含む情報処理装置１１０、キーボードおよび表示装置などを含む入出力装置１１６、ハードディスクなどの記録媒体１２０に対してデータの記録を行う記録装置１１８、および、伝送装置１２４から構成される。
伝送装置１２４は、コアネットワーク１００と無線基地局装置３との間で、通話およびデータ通信サービスのためのデータの伝送を行い、無線ネットワーク制御装置２とコアネットワーク１００との間でデータ通信を行い、また、無線ネットワーク制御装置２００と無線基地局装置３との間でデータ通信を行う。
つまり、無線ネットワーク制御装置２は、コアネットワーク１００と無線基地局装置３との間でデータを伝送し、情報を処理し、さらに、コアネットワーク１００と無線基地局装置３との間でデータ通信が可能な伝送装置およびコンピュータとしての構成部分を有している。
【００１４】
図３は、図１に示した無線基地局装置３のハードウェア構成を例示する図である。
図３に示すように、無線基地局装置３は、無線ネットワーク制御装置２からのデータ伝送回線を終端する回線終端装置（ＴＥ）３００、無線基地局装置３とコアネットワーク１００との間で伝送されるデータの処理などを行うＤＳＰ(Digital Signal Processor)３０２、移動端末装置１０４との間でデータを伝送する送受信装置（ＴＲＸ）３０４、アンテナ３１０、ＣＰＵ１１２およびメモリ１１４から構成される。
つまり、無線基地局装置３は、無線ネットワーク制御装置２からのデータを受けて、受けたデータを用いて、無線基地局装置３のプログラムおよびそのパラメータを更新するために適した構成を採る。
【００１５】
［ソフトウェア］
図４は、図１に示した無線ネットワーク制御装置２において実行されるデータ更新プログラム２０の構成を示す図である。
図４に示すように、データ更新プログラム２０は、データ受入部２００、データ更新部２０２、更新制御部２０４、通信制御部２０６および基地局装置データベース（ＤＢ）２０８から構成される。
データ更新プログラム２０は、記録媒体１２０（図２）などを介して無線ネットワーク制御装置２のメモリ１１４にロードされ、無線ネットワーク制御装置２にインストールされたＣＴＲＯＮ，ＩＴＲＯＮなどのＯＳ（図示せず）上で、無線ネットワーク制御装置２のハードウエア資源を具体的に利用して実行される。
データ更新プログラム２０は、これらの構成部分により、負荷が低く、データの更新を行っても、移動端末装置１０４（ユーザ）に対するサービスの提供に影響が出ない無線基地局装置３に対して、データの更新を行う。
【００１６】
データ受入部２００は、コアネットワーク１００から、無線基地局装置３に伝送して更新を行わせるためのデータを受け入れ、データ更新部２０２に対して出力する。
通信制御部２０６は、無線ネットワーク制御装置２と無線基地局装置３との間で、無線基地局装置３の更新に用いられるデータの伝送のために必要な処理を行う。
基地局装置データベース２０８は、無線基地局装置３の更新のために必要とされる無線基地局装置３のアドレスなどの情報を記憶する。
データ更新部２０２は、更新制御部２０４の制御に従って、データ受入部２００が受け入れたデータを、無線基地局装置３に対して伝送する。
【００１７】
更新制御部２０４は、入出力装置１１６（図２）に対する管理者の操作などに従って、基地局装置データベース２０８に記憶された情報を用いて、無線基地局装置３との間で通信を行い、データ更新部２０２を制御して、負荷が低い無線基地局装置３に対して更新のためのデータの伝送を行わせる。
つまり、更新制御部２０４は、データの更新通知を出した先の無線基地局装置３から、更新可である旨の応答を得たときには、更新用のデータを、その無線基地局装置３に対して転送する。
また、更新制御部２０４は、データの転送先の無線基地局装置３から、更新を中断する旨の通知を得たときには、更新用のデータの転送を中断する。
また、更新制御部２０４は、データの転送を中断した先の無線基地局装置３に対して出した更新通知に応じて、更新可である旨の応答を得たときには、中断前のデータの続きのデータを、その無線基地局装置３に対して転送する。
【００１８】
図５は、図１に示した無線基地局装置３において実行される無線基地局プログラム３２の構成を示す図である。
図５に示すように、無線基地局プログラム３２は、無線基地局装置３との間のデータ通信のための制御を行う通信制御部３２０と、移動端末装置１０４との間でデータの通信を行う無線通信処理部３４と、無線基地局装置３から送られてきたデータを用いて更新を行うデータ更新部３６とから構成される。
無線通信処理部３４は、呼制御処理部３４０と、信号処理部３４６と、送受信制御部３４８とから構成される。
データ更新部３６は、更新処理部３６２、更新制御部３６４および負荷監視部３６６から構成される。
【００１９】
無線基地局プログラム３２は、コアネットワーク１００から、無線ネットワーク制御装置２を介して、無線基地局装置３のメモリ１１４（図３）にロードされ、無線基地局装置３にインストールされたＯＳ（図示せず）上で、無線基地局装置３のハードウエア資源を具体的に利用して実行される。
無線基地局プログラム３２は、これらの構成部分により、コアネットワーク１００と移動端末装置１０４との間のデータの伝送、および、無線ネットワーク制御装置２から転送されてきたデータを用いた無線基地局装置３の更新のための処理を行う。
【００２０】
無線基地局プログラム３２の無線通信処理部３４において、呼制御処理部３４０は、例えば、主に無線基地局装置３のＣＰＵ１１２（図３）により実行され、データ更新部３６から設定される呼制御のためのパラメータ（呼制御データ３４２）を用いてＴＥ３００などを制御し、呼制御を行う。
信号処理部３４６は、例えば、主に無線基地局装置３のＤＳＰ３０２により実行され、データ更新部３６から設定されるベースバンド信号処理のためのパラメータ（信号処理データ３４６）を用いてベースバンド信号処理を行う。
送受信制御部３４８は、例えば、主に無線基地局装置３のＣＰＵ１１２により実行され、データ更新部３６から設定される無線信号の送受信の制御などのためのパラメータ（送受信制御データ３５０）を用いてＴＲＸ３０４などを制御し、送受信制御処理を行う。
【００２１】
データ更新部３６において、更新処理部３６２は、更新制御部３６４の制御に従って、コアネットワーク１００から無線ネットワーク制御装置２を介して、無線通信処理部３４に含まれるプログラム構成部分およびその処理に用いられるデータを受け入れる。
また、更新処理部３６２は、更新制御部３６４の制御に従って、無線基地局装置３が再起動されるときに、無線ネットワーク制御装置２を介して受け入れたデータを有効化し、無線通信処理部３４のプログラム構成部分およびその処理に用いられるデータを更新する。
【００２２】
負荷監視部３６６は、例えば、無線基地局装置３にインストールされたＯＳの機能を用いて、無線基地局装置３のＣＰＵ１１２（図３）の使用率を監視する。
また、負荷監視部３６６は、通信制御部３２０、および、呼制御処理部３４０などの無線通信処理部３４の構成部分の処理量（呼の数など）を監視する。
さらに、負荷監視部３６６は、これらの監視結果により、無線通信処理部３４の処理の負荷を、一定の周期で求め、更新制御部３６４に対して出力する。
【００２３】
更新制御部３６４は、負荷監視部３６６により求められた負荷が所定の閾値未満であって、無線ネットワーク制御装置２からデータの更新の通知を受けたときには、更新制御部３６４を制御して、無線ネットワーク制御装置２を介して転送されてきた無線基地局装置３の更新用のデータを受け入れさせる。
また、負荷監視部３６６により求められた負荷が所定の閾値以上であって、無線ネットワーク制御装置２からデータの更新の通知を受けたときには、無線ネットワーク制御装置２に対して、更新が不可である旨を応答する。
また、更新制御部３６４は、更新処理部３６２が、無線基地局装置３から更新用のデータを受けている途中で、負荷監視部３６６により求められた負荷が所定の閾値以上となったときには、無線ネットワーク制御装置２に対して、更新を中断する旨を応答する。
また、更新制御部３６４は、更新処理部３６２によるデータの受け入れを中断した後に、再度、負荷監視部３６６により求められた負荷が所定の閾値未満となり、無線ネットワーク制御装置２からデータの更新の通知を受けると、無線ネットワーク制御装置２を介して転送されてきた無線基地局装置３の更新用のデータであって、中断前のデータに続くデータを受け入れさせる。
【００２４】
［全体動作］
以下、移動体通信システム１の全体的な動作を説明する。
図６は、図１に示した移動体通信システム１の第１の全体的な動作（Ｓ１０）を示す通信シーケンス図である。
なお、図６に示した移動体通信システム１の第１の動作は、無線基地局装置３の処理負荷が低く、無線基地局装置３のデータの更新が妨げられずに行われるときの移動体通信システム１の動作に対応する。
図６に示すように、ステップ１００（Ｓ１００）において、負荷監視部３６６は、無線基地局装置３（無線通信処理部３４）の負荷の状態を監視する。
ステップ１０２（Ｓ１０２）において、負荷監視部３６６は、例えば、監視の結果として得られた無線基地局装置３の低い負荷状態を、更新制御部３６４に対して通知する。
【００２５】
ステップ１０４（Ｓ１０４）において、更新制御部３６４は、負荷監視部３６６から通知された無線基地局装置３の負荷が、所定の閾値未満であるか否かを判断する。
更新制御部３６４は、この場合には、無線基地局装置３の負荷が低く、無線基地局装置３の更新が可能であると判定する。
ステップ１０６（Ｓ１０６）において、無線ネットワーク制御装置２は、更新制御部３６４に対して、更新を通知する。
ステップ１０８（Ｓ１０８）において、更新制御部３６４は、この場合には、更新が可能である旨を、無線ネットワーク制御装置２に対して応答する。
【００２６】
ステップ１１０−１（Ｓ１１０−１）において、無線ネットワーク制御装置２は、更新用のデータの第１の部分を、更新処理部３６２に対して転送する。
更新処理部３６２は、転送されてきた更新用のデータの第１の部分を受ける。
ステップ１１０−２（Ｓ１１０−２）において、無線基地局装置３は、更新用のデータの第２の部分を、更新処理部３６２に対して転送する。
更新処理部３６２は、転送されてきた更新用のデータの第２の部分を受ける。
以上のような処理を繰り返して、ステップ１１０−ｎ（Ｓ１１０−ｎ）において、最後に、無線ネットワーク制御装置２は、更新用のデータの第ｎの部分を、更新処理部３６２に対して転送する。
更新処理部３６２は、転送されてきた更新用のデータの第ｎの部分を受ける。
【００２７】
ステップ１１２（Ｓ１１２）において、更新制御部３６４は、更新処理部３６２が全ての更新用のデータを受けると、無線ネットワーク制御装置２に対して、更新完了を通知する。
ステップ１１４（Ｓ１１４）において、無線基地局装置３が再起動されると、無線ネットワーク制御装置２から送られてきた更新用データが有効化され、この更新用データにより、無線通信処理部３４の内容が更新される。
【００２８】
図７は、図１に示した移動体通信システム１の第２の全体的な動作（Ｓ１２）を示す通信シーケンス図である。
なお、図７に示した移動体通信システム１の第２の動作は、無線基地局装置３の処理負荷が高く、無線ネットワーク制御装置２から無線基地局装置３への更新用データの転送ができなかった後に、無線基地局装置３の処理負荷が低下して、無線ネットワーク制御装置２から無線基地局装置３への更新用データの転送ができるようになったときの移動体通信システム１の動作に対応する。
図７に示すように、ステップ１００−１（Ｓ１００−１）において、負荷監視部３６６は、無線基地局装置３の負荷の状態を監視する。
ステップ１０２−１（Ｓ１０２−１）において、負荷監視部３６６は、例えば、監視の結果として得られた無線基地局装置３の高い負荷状態を、更新制御部３６４に対して通知する。
【００２９】
ステップ１０４−１（Ｓ１０４−１）において、更新制御部３６４は、負荷監視部３６６から通知された無線基地局装置３の負荷が、所定の閾値未満であるか否かを判断する。
更新制御部３６４は、この場合には、無線基地局装置３の負荷が高く、無線基地局装置３の更新が不可能であると判定する。
ステップ１０６−１（Ｓ１０６−１）において、無線ネットワーク制御装置２は、更新制御部３６４に対して、更新を通知する。
ステップ１２４（Ｓ１２４）において、更新制御部３６４は、この場合には、更新が不可能である旨を、無線ネットワーク制御装置２に対して応答する。
無線ネットワーク制御装置２は、この場合には、無線基地局装置３に対する更新用データの転送を行わない。
【００３０】
ステップ１００−２（Ｓ１００−２）において、負荷監視部３６６は、無線基地局装置３の負荷の状態を監視する。
ステップ１０２−２（Ｓ１０２−２）において、負荷監視部３６６は、例えば、監視の結果として得られた無線基地局装置３の低い負荷状態を、更新制御部３６４に対して通知する。
【００３１】
ステップ１０４−２（Ｓ１０４−２）において、更新制御部３６４は、負荷監視部３６６から通知された無線基地局装置３の負荷が、所定の閾値未満であるか否かを判断する。
更新制御部３６４は、この場合には、無線基地局装置３の負荷が低く、無線基地局装置３の更新が可能であると判定する。
ステップ１０６−２（Ｓ１０６−２）において、無線ネットワーク制御装置２は、更新制御部３６４に対して、更新を通知する。
ステップ１０８（Ｓ１０８）において、更新制御部３６４は、この場合には、更新が可能である旨を、無線ネットワーク制御装置２に対して応答する。
【００３２】
ステップ１１０−１（Ｓ１１０−１）において、無線ネットワーク制御装置２は、更新用のデータの第１の部分を、更新処理部３６２に対して転送する。
更新処理部３６２は、転送されてきた更新用のデータの第１の部分を受ける。
ステップ１１０−２（Ｓ１１０−２）において、無線基地局装置３は、更新用のデータの第２の部分を、更新処理部３６２に対して転送する。
更新処理部３６２は、転送されてきた更新用のデータの第２の部分を受ける。
以上のような処理を繰り返して、ステップ１１０−ｎ（Ｓ１１０−ｎ）において、最後に、無線ネットワーク制御装置２は、更新用のデータの第ｎの部分を、更新処理部３６２に対して転送する。
更新処理部３６２は、転送されてきた更新用のデータの第ｎの部分を受ける。
【００３３】
ステップ１１２（Ｓ１１２）において、更新制御部３６４は、更新処理部３６２が全ての更新用のデータを受けると、無線ネットワーク制御装置２に対して、更新完了を通知する。
ステップ１１４（Ｓ１１４）において、無線基地局装置３が再起動されると、無線ネットワーク制御装置２から送られてきた更新用データが有効化され、この更新用データにより、無線通信処理部３４の内容が更新される。
【００３４】
図８は、図１に示した移動体通信システム１の第３の全体的な動作（Ｓ１４）を示す通信シーケンス図である。
なお、図８に示した移動体通信システム１の第３の動作は、無線ネットワーク制御装置２から無線基地局装置３へ更新用のデータを転送中に、この転送が中止された後、無線ネットワーク制御装置２から無線基地局装置３への更新用データの転送が再開されたときの移動体通信システム１の動作に対応する。
図８に示すように、ステップ１００−１（Ｓ１００−１）において、負荷監視部３６６は、無線基地局装置３の負荷の状態を監視する。
ステップ１０２−１（Ｓ１０２−１）において、負荷監視部３６６は、例えば、監視の結果として得られた無線基地局装置３の低い負荷状態を、更新制御部３６４に対して通知する。
【００３５】
ステップ１０４−１（Ｓ１０４−１）において、更新制御部３６４は、負荷監視部３６６から通知された無線基地局装置３の負荷が、所定の閾値未満であるか否かを判断する。
更新制御部３６４は、この場合には、無線基地局装置３の負荷が低く、無線基地局装置３の更新が可能であると判定する。
ステップ１０６（Ｓ１０６）において、無線ネットワーク制御装置２は、更新制御部３６４に対して、更新を通知する。
ステップ１２４（Ｓ１２４）において、更新制御部３６４は、この場合には、更新が可能である旨を、無線ネットワーク制御装置２に対して応答する。
【００３６】
ステップ１１０−１（Ｓ１１０−１）において、無線ネットワーク制御装置２は、更新用のデータの第１の部分を、更新処理部３６２に対して転送する。
更新処理部３６２は、転送されてきた更新用のデータの第１の部分を受ける。
ステップ１１０−２（Ｓ１１０−２）において、無線基地局装置３は、更新用のデータの第２の部分を、更新処理部３６２に対して転送する。
【００３７】
ステップ１００−２（Ｓ１００−２）において、負荷監視部３６６は、無線基地局装置３の負荷の状態を監視する。
ステップ１０２−２（Ｓ１０２−２）において、負荷監視部３６６は、例えば、監視の結果として得られた無線基地局装置３の高い負荷状態を、更新制御部３６４に対して通知する。
【００３８】
ステップ１０４−２（Ｓ１０４−２）において、更新制御部３６４は、負荷監視部３６６から通知された無線基地局装置３の負荷が、所定の閾値未満であるか否かを判断する。
更新制御部３６４は、この場合には、無線基地局装置３の負荷が高く、無線基地局装置３の更新が不可能になったと判定する。
ステップ１４０（Ｓ１４０）において、更新制御部３６４は、無線ネットワーク制御装置２に対して、更新用データの転送の中断を通知する。
無線ネットワーク制御装置２は、この通知を受けると、更新用データの転送を中断する。
【００３９】
ステップ１００−３（Ｓ１００−３）において、負荷監視部３６６は、無線基地局装置３の負荷の状態を監視する。
ステップ１０２−３（Ｓ１０２−３）において、負荷監視部３６６は、例えば、監視の結果として得られた無線基地局装置３の低い負荷状態を、更新制御部３６４に対して通知する。
【００４０】
ステップ１０４−３（Ｓ１０４−３）において、更新制御部３６４は、負荷監視部３６６から通知された無線基地局装置３の負荷が、所定の閾値未満であるか否かを判断する。
更新制御部３６４は、この場合には、無線基地局装置３の負荷が低く、無線基地局装置３の更新が可能になったと判定する。
ステップ１４２（Ｓ１４２）において、更新制御部３６４は、無線ネットワーク制御装置２に対して、更新用データの転送の再開を通知する。
無線ネットワーク制御装置２は、この通知を受けると、中断したときの更新用データの続きの更新用データを、順次、無線基地局装置３に対して転送する。
【００４１】
ステップ１１０−３（Ｓ１１０−３）において、無線基地局装置３は、更新用のデータの第３の部分を、更新処理部３６２に対して転送する。
更新処理部３６２は、転送されてきた更新用のデータの第３の部分を受ける。
このような処理を繰り返して、ステップ１１０−ｎ（Ｓ１１０−ｎ）において、最後に、無線ネットワーク制御装置２は、更新用のデータの第ｎの部分を、更新処理部３６２に対して転送する。
更新処理部３６２は、転送されてきた更新用のデータの第ｎの部分を受ける。
【００４２】
ステップ１１２（Ｓ１１２）において、更新制御部３６４は、更新処理部３６２が全ての更新用のデータを受けると、無線ネットワーク制御装置２に対して、更新完了を通知する。
ステップ１１４（Ｓ１１４）において、無線基地局装置３が再起動されると、無線ネットワーク制御装置２から送られてきた更新用データが有効化され、この更新用データにより、無線通信処理部３４の内容が更新される。
【００４３】
［結論］
以上説明したように、移動体通信システム１においては、無線基地局装置３が、その負荷が低く、データの更新が行われても、無線基地局装置３が、ユーザ（移動端末装置１０４）に対して提供するサービスの品質が損なわれないときにのみ、無線基地局装置３のデータの更新が行われる。
つまり、移動体通信システム１においては、無線基地局装置３の負荷が高いときに、さらに、データの更新による負荷が重なって、無線基地局装置３の負荷が一時的に高くなり、ユーザ（移動端末装置１０４）に対して提供するサービスの品質が損なわれるといった、無線基地局装置３のデータの更新に起因する不具合が防止される。
【産業上の利用可能性】
【００４４】
本発明は、移動体通信システムに利用可能である。
【図面の簡単な説明】
【００４５】
【図１】本発明にかかる移動体通信システムの構成を例示する図である。
【図２】図１に示した無線ネットワーク制御装置のハードウエア構成を例示する図である。
【図３】図１に示した無線基地局装置のハードウェア構成を例示する図である。
【図４】図１に示した無線ネットワーク制御装置において実行されるデータ更新プログラムの構成を示す図である。
【図５】図１に示した無線基地局装置において実行される無線基地局プログラムの構成を示す図である。
【図６】図１に示した移動体通信システムの第１の全体的な動作（Ｓ１０）を示す通信シーケンス図である。
【図７】図１に示した移動体通信システムの第２の全体的な動作（Ｓ１２）を示す通信シーケンス図である。
【図８】図１に示した移動体通信システムの第３の全体的な動作（Ｓ１４）を示す通信シーケンス図である。
【符号の説明】
【００４６】
１・・・移動体通信システム，
１００・・・コアネットワーク，
１０２・・・無線アクセスネットワーク，
２・・・無線ネットワーク制御装置，
１１０・・・情報処理装置，
１１２・・・ＣＰＵ，
１１４・・・メモリ，
１１６・・・入出力装置，
１１８・・・記録装置，
１２０・・・記録媒体，
１２４・・・伝送装置，
２０・・・データ更新プログラム，
２００・・・データ受入部，
２０２・・・データ更新部，
２０４・・・更新制御部，
２０６・・・通信制御部，
２０８・・・基地局装置データベース，
３・・・無線基地局装置，
３００・・・ＴＥ，
３０２・・・ＤＳＰ，
３０４・・・ＴＲＸ，
３１０・・・アンテナ，
３２・・・無線基地局プログラム，
３２０・・・通信制御部，
３４・・・無線通信処理部，
３４０・・・呼制御処理部，
３４２・・・呼制御データ，
３４４・・・信号処理部，
３４６・・・信号処理データ，
３４８・・・送受信制御部，
３５０・・・送受信制御データ，
３６・・・データ更新部，
３６２・・・更新処理部，
３６４・・・更新制御部，
３６６・・・負荷監視部，
１０４・・・移動端末装置，
【図１】
2008131230.tif 000003
【図２】
2008131230.tif 000004
【図３】
2008131230.tif 000005
【図４】
2008131230.tif 000006
【図５】
2008131230.tif 000007
【図６】
2008131230.tif 000008
【図７】
2008131230.tif 000009
【図８】
2008131230.tif 000010